(57)【要約】【課題】カード類の収納量によって硬貨類の収納空間を拡張させて収納量を増やすことができる。【解決手段】紙幣類を収納するシート状袋体の紙幣類収納部１と、該紙幣類収納部の片面側に複数枚のカード類を積層保持する袋状のカード類収納部２と、該カード類収納部に隣接して形成した硬貨類を保持する袋状の硬貨類収納部３と、から成り、硬貨類収納部の収納空間が、前記カード類収納部の隣接部までの収納域３０と、該収納域から前記カード類収納部の積層方向の外側全面又は一部面を覆う領域まで拡張させた拡張収納域３１と、から成る。これにより、カード類の収納枚数に応じて可変させることができ、折り畳み時の財布の厚さをできるだけ変えることなく、硬貨類とカード類を効率良く収納することができる。【選択図】図１
2022001112.tif 000002
【特許請求の範囲】
【請求項１】
紙幣類を収納するシート状袋体の紙幣類収納部と、
該紙幣類収納部の片面側に複数枚のカード類を積層保持する袋状のカード類収納部と、
該カード類収納部に隣接して形成した硬貨類を保持する袋状の硬貨類収納部と、
から成り、
前記硬貨類収納部の収納空間が、前記カード類収納部の隣接部までの収納域と、該収納域から前記カード類収納部の積層方向の外側全面又は一部面を覆う領域まで拡張させた拡張収納域と、から成ることを特徴とする財布。
【請求項２】
前記硬貨類収納部の収納空間において、
前記カード類収納部と隣接する段差部を乗り越えて、前記収納域から前記拡張収納域まで一連に延びるガイドシートを配置したことを特徴とする請求項１記載の財布。
【請求項３】
前記硬貨類収納部の収納空間において、
該空間からの硬貨類の取出口にフラップ、又は線状若しくは面状のファスナーなどから成る開閉手段を配設したこと特徴とする請求項１、又は２記載の財布。
【請求項４】
前記カード類収納部とこれと隣接配置した前記硬貨類収納部が、
前記紙幣類収納部を二つ折りした場合の片方側に配設されていることを特徴とする請求項１、２、又は３記載の財布。
【請求項５】
前記カード類収納部と前記硬貨類収納部との配設において、
カード類収納部の挿出口と、硬貨類の取出口と、が対向する位置関係で配設したことを特徴とする請求項１、２、３、又は４記載の財布。
【発明の詳細な説明】
【技術分野】
【０００１】
本願発明は、紙幣類、カード類、及び硬貨類の３種類を収納する財布に関し、特に、カード類と硬貨類の各収納空間を可変して使用する構造の財布に関する。
【背景技術】
【０００２】
従来から財布の用途は、紙幣類と硬貨類を区分して収納するのが一般的であったが、近年は物品購入時の現金払よりも、クレジットカードや電子マネーによる支払、さらにはポイントカードの使用の機会が主流になりつつある。
【０００３】
そのため、財布には紙幣類（紙幣、レシート、紙葉、等）や硬貨類（硬貨、メダル、キー、等）に加えて、多種多様のカード類（クレジットカード、電子マネーカード、プリペイドカード、ポイントカード、等）を収納して携行することが多くなってきている。そのため、紙幣類、硬貨類、カード類、の３種類を一個体の財布に収納する構成の創作として多くの発明及び考案が提案されている。例えば、特許文献１〜特許文献４などの開示例がある。
【０００４】
特許文献１は、財布の構造において、小銭入れ専用の収納部分を形成しないことによって、省スペース化を図ったものである。特許文献２は、硬貨収容部の配置を工夫して二つ折りにした場合の膨らみによる違和感やカード破損の防止を図ったものである。特許文献３は、薄型でありながら硬貨、紙幣、カードの収納が可能であり、かつ紙幣の出し入れがしやすい二つ折りの財布を提供することを目的としたものである。特許文献４は、多くの枚数のカードの収納を念頭に置いたものであり、カードを積層状に重ねて収納するのではなく、多数の個別収納スリットをずらした状態で配置して取り出し易くした財布のカード収納部構造を提供したものである。
【先行技術文献】
【特許文献】
【０００５】
【特許文献１】実用新案登録第３２２３９５１号公報
【特許文献２】実用新案登録第３２１６８６８号公報
【特許文献３】実用新案登録第３２０１８６２号公報
【特許文献４】実用新案登録第３１５６９７４号公報
【発明の概要】
【発明が解決しようとする課題】
【０００６】
上記の特許文献１〜４の開示考案は、一個体の財布について、いずれも紙幣類、カード類、硬貨類を収納する空間をそれぞれに形成したものである。その目的は、如何に効率良く収納するかを念頭においている点では本願の目的と共通する。しかし、それぞれの収納空間域はそれぞれ独立した空間を形成しているが、使用時において収納物の量次第でその収納空間を分け合って使用するという観点はなかった。このため、それぞれ硬質な材料から成るカードと硬貨は、二つ折りにした状態時において、その量次第で互いに干渉して部分的に厚さが増し、いわば凹凸による違和感が生じてしまう課題があった。
【０００７】
そこで、本願発明は、かかる課題に着目して創出されたものであり、カード類の収納量によって硬貨類の収納空間を拡張させて収納量を増やすことができ、かつ折り畳み時の厚さへの影響も抑えつつ可能な限り効率的に収納することを目的としたものである。
【課題を解決するための手段】
【０００８】
上記の課題を解決するため、本願発明に係る硬貨類収納空間が可変する財布は、以下のように構成している。
【０００９】
すなわち、紙幣類を収納するシート状袋体の紙幣類収納部と、該紙幣類収納部の片面側に複数枚のカード類を積層保持する積層空間を有する袋状のカード類収納部と、該カード類収納部に隣接して形成した硬貨類を保持する袋状の硬貨類収納部と、から成り、該硬貨類収納部の収納空間を、前記カード類収納部の積層方向の外側面を覆う領域まで拡張させたことを特徴とするものである。
【００１０】
また、前記硬貨類収納部の収納空間は、前記カード類収納部の隣接部までの収納域と、該収納域から前記カード類収納部の積層方向（積上厚さ方向）の外側全面又は一部面を覆う領域まで拡張させた拡張収納域と、から成るものである。
【００１１】
さらに、前記カード類収納部と隣接する段差部を乗り越えて、前記収納域から前記拡張収納域に一連に延びるガイドシートを配置しても良い。これにより、前記収納域と前記拡張収納域との間の硬貨類の移動をスムーズにすることができる。
【発明の効果】
【００１２】
上記構成により、カード類のカード類収納部への挿入枚数によって積層高さ（積み上げ高さ）が可変し、その可変量にしたがって硬貨類収納部の拡張収納域が拡張増加して硬貨類の移動が可能となり、この結果、硬貨類の収納量が増加する。また、カード類収納部へのカード類の最大収納枚数が許容限度を超えた場合には、前記拡張収納域の空間がほとんど無くなり、硬貨類は前記収納域に留まった状態で保持されることとなる。
【００１３】
このように、本願発明は、硬貨類収納部の収納空間を、カード類収納部へのカード類の収納枚数に応じて可変させることができ、折り畳み時の財布の厚さをできるだけ変えることなく、硬貨類とカード類を効率良く収納することができる効果を有する。
【図面の簡単な説明】
【００１４】
【図１】本実施例の財布を開いた状態を示す平面図である。
【図２】本実施例の財布へ紙幣類、カード類、及び硬貨類の収納状態を示す平面図である。
【図３】本実施例の財布の使用状況を図１のＡ―Ａ線をもって示した断面図（Ａ）、（Ｂ）である。
【図４】本実施例の財布における硬貨類の移動状況を図１のＡ―Ａ線をもって示した断面図である。。
【図５】本実施例の財布の使用状況を示した斜視図（Ａ）、（Ｂ）である。
【図６】本実施例の財布を示す写真（Ａ）、（Ｂ）である。
【発明を実施するための形態】
【００１５】
まず、本願発明は、紙幣類を収納する紙幣類収納部１と、カード類を収納するカード類収納部２、及び硬貨類を収納する硬貨類収納部３と、を主要構成要素とする財布である。それぞれが個別に独立した収納空間として形成している。
【００１６】
以下に、本願発明にかかる具体的実施例（以下、「本実施例」という。）を図面に基づいて説明する。
【００１７】
［紙幣類収納部の構成］
本実施例の紙幣類収納部１は、少なくとも紙幣類Ｂを折らずにそのまま挿入し得るサイズの内部空間を持った長方形シート状の袋体を成しており、長辺に沿った縁部には紙幣の出入用の開口スリット１０を形成している。該紙幣類収納部１は、皮材、紙材、又は樹脂材、などからなる二つ折りを可能とする軟質材で形成している。二つ折り（通常は、等半分折り）した場合、該紙幣類収納部１の表裏いずれかの片面側が財布の外側面を構成する。その外側面には、図示を省略するが、その面上に種々の嗜好的な装飾デザインを施すようにしてもよい。
また、前記開口スリット１０は、実施例では開放したままであるが、必要により線状又は面状のファスナー、ホック又はスナップ等の係合手段を設けてもよい。
【００１８】
さらに、前記長方形状の紙幣類収納部１の長手方向の略中間付近には、直交方向（短手方向）に伸びる（図１の平面視で）谷折り状の折り部１１を形成している。また、折り部１１には、谷折りを容易にするため湾曲舌片状の折り癖部１２を設けている。
【００１９】
［カード類収納部の構成］
本実施例のカード類収納部２は、前記長方形状の紙幣類収納部１の片面側を略二等分割したいずれか半分側の面上に、袋状の形態で形成している。カード類収納部２は、紙幣類収納部１の面上に沿って開口させて、カード類Ｋの挿入又は取出しための挿出口２０を形成している。
【００２０】
この挿出口２０の形成位置は、前記折り部１１付近に開口するように配設している。また厚さ方向（紙幣類収納部１の片面に対する垂直方向）には、前記紙幣類収納部１の対向する長辺側縁に沿って立ち上がるマチ部２２を形成している。このマチ部２２の高さは、カード類を積層して収納し得る最大枚数（例えば、１０枚）を考慮して設定している。このマチ部２２は厚さ方向（又は高さ方向）に撓み易くなるように構成している。例えば、可撓自在な軟質材で形成しても良く、又は蛇腹状に形成しても良い。
【００２１】
カード類収納部２の挿出口２０の開口方向は、本実施例では、紙幣類収納部１の長手方向であるが、これに限らず短手方向（開口スリット１０への挿入方向と同方向）に配置しても良い。
【００２２】
また、長方形状のカード類収納部２の前記紙幣類収納部１に対する配置は、それぞれの長辺同士を直交する位置関係にしているが、そのほか、互いに平行な位置関係としてもよい。なお、図示した本実施例では直角の位置関係にある。
【００２３】
［硬貨類収納部の構成］
本実施例にかかる硬貨類収納部３は、上記構成のカード類収納部２の外側に隣接した位置に配設している。図１に示すように、カード類収納部２は、紙幣類収納部１の折り部１１側の長手方向の中央部に寄った二等分割した一方の半分側の面上に配置している。これにより、その底部２１と紙幣類収納部１と短辺縁部１３との間に一定の領域が確保される。この領域に袋状の硬貨類収納部３を配設している。すなわち、通常のクレジットカードのサイズは、国際規格「ＩＤ−１」によって、縦５３．９８ｍｍ、横８５．６０ｍｍ、厚み０．７６ｍｍに寸法が規格されている。このため、カード類Ｋの長辺方向（上記、横方向）を、紙幣類収納部１の短辺方向に揃えて配置して二つ折りした場合に、紙幣類収納部１の長辺の半分長さよりもカード類Ｋの短辺の長さ（上記、縦の長さ）の方が短いため、その短い分だけ、紙幣類収納部１の領域に硬貨類収納部３が形成されることとなる。
【００２４】
この硬貨類収納部３の収納空間は、本願発明の主眼となるものであり、２段階の空間領域の概念をもって構成されている。すなわち、前記カード類収納部２の底部２１の外側部分と段差部３０ａとから成る第１段目の収納域３０と、さらにこの第１段の収納域３０から連通して前記カード類収納部２の上面の全面又は一部の面を覆う領域まで空間を拡張させてなる第２段目の収納域（これを「拡張収納域３１」と称する。）、から構成している。そして、前記段差部３０ａの対向側には、硬貨類の取り出しを行う取出口３２を形成している。この取出口３２の開閉手段としては、図示したように、可撓性のあるフラップ３３を配置して行っている。その先端付近にはホック３３ａを配置してフラップ３３を固定するようにしている。
【００２５】
なお、上記開閉手段としては、フラップ３３の他に、線状若しくは面状のファスナー  さらにはクリップや引掛け具などの係合手段を適宜デザイン性を考慮して選択使用してもよい。
【００２６】
また、前記第１段の収納域３０には、その底面部３０ｂに固定されて、前記段差部３０ａを乗り越えて前記拡張収納域３１まで一連に延びた可撓性のあるガイドシート３４を配設している。このガイドシート３４を設けることにより、この面上を摺動して収納域３０に滞留していた硬貨類Ｃを、拡張収納域３１に滑らかに移動させることができる。
【００２７】
［カード類収納部２と硬貨類収納部３との連携作用］
上述したように、カード類収納部２と硬貨類収納部３とを構成することにより、カード類収納部２に最大収納枚数のカード類Ｋが、積層した状態で収納した場合は、硬貨類収納部３の拡張収納域３１は、押しつぶされた状態になって隙間が無い状態となる。このとき、硬貨類Ｃは、第１段目の収納域３０内に滞留した状態となる。そして、フラップ３３の閉塞により脱落を防止している。
【００２８】
次に、収納するカード類Ｋが最大許容枚数（例えば１０枚）に満たない場合（例えば、６枚）は、その分（例えば、４枚の厚さ分）マチ部２２が撓んで前記拡張収納域３１に硬貨類Ｃが進入可能な間隙ができる。この結果、拡張収納域３１による収納空間が増えて、多数の硬貨類Ｃを収納することができることになる。
【００２９】
［実施例の効果］
上記構成により、カード類収納部２の収納空間と、硬貨類収納部３の収納空間とを、カード類Ｋの積層枚数の多少によって振り分けて使用することができ、厚さの限られる二つ折り仕様の財布を全体の厚さをできるだけ変えることなく、硬貨類とカード類とを臨機応変に効率良く収納することができるものとなる
【００３０】
［他の変形例］
上記のカード類収納部２と硬貨類収納部３の組合せ構造を長方形シート状の紙幣類収納部１の等分割した半分の領域に配設する本実施例の他、本願発明思想を具体化する以下の構成を採用してもよい。すなわち、上記の組合せ構造を半分領域の両側のそれぞれに配置する構成としてもよい。いわば、２セット配置となる。
【００３１】
また、紙幣類収納部１は、二つ折りを予定して紙幣サイズの長辺より若干長めに形成しているが、これをさらに長くして三つ折り構成としてもよい。
【００３２】
さらにカード類収納部２の向きは、上記したように、平面図上において縦向き又は横向き配置が一般的であるが、設計寸法を変えることによって斜め向きとすることも可能である。いずれにおいても、本願発明思想において同一の範疇に属するものである。
【符号の説明】
【００３３】
１  紙幣類収納部
１０  開口スリット
１１  折り部
１２  折り癖部
１３  短辺縁部
２  カード類収納部
２０  挿出口
２１  底部
２２  マチ部
３  硬貨類収納部
３０  収納域（第１段目）
３０ａ  段差部
３０ｂ  底面部
３１  拡張収納域（第２段目）
３２  取出口
３３  フラップ
３３ａ  ホック
３４  ガイドシート
Ｂ  紙幣類
Ｋ  カード類
Ｃ  硬貨類
【図１】
2022001112.tif 000003
【図２】
2022001112.tif 000004
【図３】
2022001112.tif 000005
【図４】
2022001112.tif 000006
【図５】
2022001112.tif 000007
【図６】
2022001112.tif 000008
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
紙幣類を収納するシート状袋体の紙幣類収納部と、
該紙幣類収納部の片面側に複数枚のカード類を積層保持する袋状のカード類収納部と、
該カード類収納部に対して前記紙幣類収納部の同じ面側に隣接して形成した硬貨類を保持する袋状の硬貨類収納部と、
から成る財布であって、
前記硬貨類収納部の収納空間を、前記カード類収納部立設状のマチ部を構成する段差部から硬貨取出口までの収納域と、該収納域から前記段差部を乗り越えて連通し、前記カード類収納部の積層方向の外側全面又は積層方向の外側一部面を覆う領域まで拡張させた拡張収納域と、から構成したことを特徴とする財布。
【請求項２】
前記硬貨類収納部の収納空間において、
前記カード類収納部と隣接する段差部を乗り越えて、前記収納域から前記拡張収納域まで一連に延びるガイドシートを前記収納域の底面部に固定して配置したことを特徴とする請求項１記載の財布。
【請求項３】
前記硬貨類収納部の収納空間において、
該空間からの硬貨類の取出口にフラップ、又は線状若しくは面状のファスナーから成る開閉手段を配設したことを特徴とする請求項１、又は２記載の財布。
【請求項４】
前記カード類収納部とこれと隣接配置した前記硬貨類収納部が、
前記紙幣類収納部を二つ折りした場合の片方側に配設されていることを特徴とする請求項１、２、又は３記載の財布。
【請求項５】
前記カード類収納部と前記硬貨類収納部との配設において、
カード類収納部の挿出口と、硬貨類の取出口と、が反対向きの位置関係で配設したことを特徴とする請求項１、２、３、又は４記載の財布。
【手続補正２】
【補正対象書類名】明細書
【補正対象項目名】０００９
【補正方法】変更
【補正の内容】
【０００９】
すなわち、紙幣類を収納するシート状袋体の紙幣類収納部と、
該紙幣類収納部の片面側に複数枚のカード類を積層保持する袋状のカード類収納部と、  該カード類収納部に対して前記紙幣類収納部の同じ面側に隣接して形成した硬貨類を保持する袋状の硬貨類収納部と、から成る財布であって、
前記硬貨類収納部の収納空間を、前記カード類収納部立設状のマチ部を構成する段差部から硬貨取出口までの収納域と、該収納域から前記段差部を乗り越えて連通し、前記カード類収納部の積層方向の外側全面又は積層方向の外側一部面を覆う領域まで拡張させた拡張収納域と、から構成したことを特徴とする財布である。
【手続補正３】
【補正対象書類名】明細書
【補正対象項目名】００１０
【補正方法】変更
【補正の内容】
【００１０】
特に、前記硬貨類収納部の収納空間を、前記カード類収納部立設状のマチ部を構成する段差部から硬貨取出口までの収納域と、該収納域から前記段差部を乗り越えて連通し、前記カード類収納部の積層方向の外側全面又は積層方向の外側一部面を覆う領域まで拡張させた拡張収納域と、から構成したことを、主要な特徴とするものである。
【手続補正４】
【補正対象書類名】明細書
【補正対象項目名】００１１
【補正方法】変更
【補正の内容】
【００１１】
さらに、前記硬貨類収納部の収納空間には、前記カード類収納部と隣接する段差部を乗り越えて、前記収納域から前記拡張収納域に一連に延びるガイドシートを前記収納域の前記紙幣類収納部の外面側の底面部に固定して配置しても良い。これにより、前記収納域と前記拡張収納域との間の硬貨類の移動をスムーズにすることができる。
【手続補正５】
【補正対象書類名】明細書
【補正対象項目名】００１４
【補正方法】変更
【補正の内容】
【００１４】
【図１】本実施例の財布を開いた状態を示す平面図である。
【図２】本実施例の財布へ紙幣類、カード類、及び硬貨類の収納状態を示す平面図である。
【図３】本実施例の財布の使用状況を図１のＡ―Ａ線をもって示した断面図（Ａ）、（Ｂ）である。
【図４】本実施例の財布における硬貨類の移動状況を図１のＡ―Ａ線をもって示した断面図である。
【図５】本実施例の財布の使用状況を示した斜視図（Ａ）、（Ｂ）である。
【図６】本実施例の財布を示す写真（Ａ）、（Ｂ）である。
【手続補正６】
【補正対象書類名】明細書
【補正対象項目名】００２０
【補正方法】変更
【補正の内容】
【００２０】
この挿出口２０の形成位置は、前記折り部１１付近に開口するように配設している。また厚さ方向（紙幣類収納部１の片面に対する垂直方向）には、前記紙幣類収納部１の対向する長辺側縁に沿って立ち上がるマチ部２２を形成している。このマチ部２２の高さは、カード類を積層して収納し得る最大枚数（例えば、１０枚）を考慮して設定している。このマチ部２２は積層したカード類の厚さ方向（又は積層方向）に撓み易くなるように構成している。例えば、可撓自在な軟質材で形成しても良く、又は蛇腹状に形成しても良い。
【手続補正７】
【補正対象書類名】明細書
【補正対象項目名】００２３
【補正方法】変更
【補正の内容】
【００２３】
［硬貨類収納部の構成］
本実施例にかかる硬貨類収納部３は、上記構成のカード類収納部２と同じ面側に隣接した位置に配設している。図１に示すように、カード類収納部２は、紙幣類収納部１の折り部１１側の長手方向の中央部に寄った二等分割した一方の半分側の面上に配置している。これにより、その底部２１と紙幣類収納部１の短辺縁部１３との間に一定の領域が確保される。この領域に袋状の硬貨類収納部３を配設している。すなわち、通常のクレジットカードのサイズは、国際規格「ＩＤ−１」によって、縦５３．９８ｍｍ、横８５．６０ｍｍ、厚み０．７６ｍｍに寸法が規格されている。このため、カード類Ｋの長辺方向（上記、横方向）を、紙幣類収納部１の短辺方向に揃えて配置して二つ折りした場合に、紙幣類収納部１の長辺の半分長さよりもカード類Ｋの短辺の長さ（上記、縦の長さ）の方が短いため、その短い分だけ、紙幣類収納部１の領域に硬貨類収納部３が形成されることとなる。
【手続補正８】
【補正対象書類名】明細書
【補正対象項目名】００２４
【補正方法】変更
【補正の内容】
【００２４】
この硬貨類収納部３の収納空間は、本願発明の主眼となるものであり、２段階の空間領域の概念をもって構成されている。すなわち、前記カード類収納部２の底部２１の外側部分の段差部３０ａと、その対向側に形成した硬貨類の取り出しを行う取出口３２との間の領域から成る第１段目の収納域３０と、さらにこの第１段の収納域３０から連通して前記カード類収納部２の上面の全面又は一部の面を覆う領域まで空間を拡張させてなる第２段目の収納域（これを「拡張収納域３１」と称する。）、から構成している。前記取出口３２の開閉手段としては、図示したように、可撓性のあるフラップ３３を配置して行っている。その先端付近にはホック３３ａを配置してフラップ３３を固定するようにしている。
【手続補正９】
【補正対象書類名】明細書
【補正対象項目名】００２９
【補正方法】変更
【補正の内容】
【００２９】
［実施例の効果］
上記構成により、カード類収納部２の収納空間と、硬貨類収納部３の収納空間とを、カード類Ｋの積層枚数の多少によって振り分けて使用することができ、厚さの限られる二つ折り仕様の財布を全体の厚さをできるだけ変えることなく、硬貨類とカード類とを臨機応変に効率良く収納することができるものとなる。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
紙幣類を収納するシート状袋体の紙幣類収納部と、
該紙幣類収納部の片面側に複数枚のカード類を積層保持する袋状のカード類収納部と、
該カード類収納部に対して前記紙幣類収納部の同じ面側に隣接して形成した硬貨類を保持する袋状の硬貨類収納部と、
から成る財布であって、
前記硬貨類収納部の収納空間を、前記カード類収納部立設状のマチ部を構成する段差部から硬貨取出口までの収納域と、該収納域から前記段差部を乗り越えて連通し、前記カード類収納部の積層方向の外側全面又は積層方向の外側一部面を覆う領域まで拡張させた拡張収納域と、から構成し、
かつ、前記カード類収納部と隣接する前記段差部を乗り越えて、前記収納域から前記拡張収納域まで一連に延びるガイドシートを前記収納域の底面部に固定して配置したことを特徴とする財布。
【請求項２】
前記硬貨類収納部の収納空間において、
該空間からの硬貨類の取出口にフラップ、又は線状若しくは面状のファスナーから成る開閉手段を配設したことを特徴とする請求項１記載の財布。
【請求項３】
前記カード類収納部とこれと隣接配置した前記硬貨類収納部が、
前記紙幣類収納部を二つ折りした場合の片方側に配設されていることを特徴とする請求項１、又は２記載の財布。
【請求項４】
前記カード類収納部と前記硬貨類収納部との配設において、
カード類収納部の挿出口と、硬貨類の取出口と、が反対向きの位置関係で配設したことを特徴とする請求項１、２、又は３記載の財布。
【手続補正２】
【補正対象書類名】明細書
【補正対象項目名】０００９
【補正方法】変更
【補正の内容】
【０００９】
すなわち、紙幣類を収納するシート状袋体の紙幣類収納部と、該紙幣類収納部の片面側に複数枚のカード類を積層保持する袋状のカード類収納部と、該カード類収納部に対して前記紙幣類収納部の同じ面側に隣接して形成した硬貨類を保持する袋状の硬貨類収納部と、から成る財布である。
【手続補正３】
【補正対象書類名】明細書
【補正対象項目名】００１０
【補正方法】変更
【補正の内容】
【００１０】
特に、前記硬貨類収納部の収納空間を、前記カード類収納部立設状のマチ部を構成する段差部から硬貨取出口までの収納域と、該収納域から前記段差部を乗り越えて連通し、前記カード類収納部の積層方向の外側全面又は積層方向の外側一部面を覆う領域まで拡張させた拡張収納域と、から構成している。
【手続補正４】
【補正対象書類名】明細書
【補正対象項目名】００１１
【補正方法】変更
【補正の内容】
【００１１】
上記構成に加え、前記硬貨類収納部の収納空間には、前記カード類収納部と隣接する前記段差部を乗り越えて、前記収納域から前記拡張収納域に一連に延びるガイドシートを前記収納域の底面部に固定して配置している。これにより、前記収納域と前記拡張収納域との間の硬貨類の移動をスムーズにしている。